(57)【要約】      （修正有）【課題】内部に収納した物品を容易に被覆することができる包装用袋を提供する。【解決手段】袋本体の開口部を覆って、袋本体内部を遮蔽しうる内蓋が備えられていて、内蓋は、袋本体に接合される固定部と、固定部に対し折曲可能に連設されて袋本体の開口部を開閉可能な可動フラップ部とを有し、内蓋における可動フラップ部は、使用しない場合は袋本体の内面部に重ね合わされた状態を維持すると共に、使用する場合は上記袋本体の内面部を覆うように起き上がりうるように形成されている。袋本体の内面部には持ち手の基端部が接合され、内蓋の固定部は、持ち手の基端部の接合個所を覆うように袋本体の内面部に当接状態に接合されている。【選択図】図２
0003107411.tif 000002
【実用新案登録請求の範囲】
【請求項１】
袋本体の開口部を覆って、袋本体内部を遮蔽しうる内蓋が備えられていることを特徴とする包装用袋。
【請求項２】
上記内蓋は、上記袋本体に接合される固定部と、上記固定部に対し折曲可能に連設されて上記袋本体の上記開口部を開閉可能な可動フラップ部とを有し、上記内蓋における上記可動フラップ部は、使用しない場合は上記袋本体の内面部に重ね合わされた状態を維持すると共に、使用する場合は上記袋本体の内面部を覆うように起き上がりうるように形成されていることすることを特徴とする請求項１記載の包装用袋。
【請求項３】
上記袋本体の内面部には持ち手の基端部が接合され、上記内蓋の固定部は、上記持ち手の基端部の接合個所を覆うように上記袋本体の内面部に当接状態に接合されていることを特徴とする請求項２記載の包装用袋。
【請求項４】
上記袋本体および上記内蓋は紙により形成され、上記内蓋における上記可動フラップ部は上記袋本体の上記開口部が全開した状態の広さと略同一の大きさを有していることを特徴とする請求項２又は３記載の包装用袋。
【考案の詳細な説明】
【技術分野】
【０００１】
本考案は包装用袋に係り、特にデパート等で商品を購入した場合に、その商品を収納して持ち運ぶために、デパート等から消費者に提供される紙で形成された包装用袋に関する。
【背景技術】
【０００２】
従来、デパート等で商品を購入した場合には、商品等を収納して持ち運ぶ場合に使用される包装用袋として、持ち手を備えた紙袋が購買者に無償で提供されることが多い。
【０００３】
このような従来の紙袋は、袋本体が上方へ開口するように形成されており、その開口部を覆う蓋部は存在しないため、上記開口部から内部を容易に視認することができ、内部の商品が抜き取られる可能性もあった。
【０００４】
そこで、このような事態を防止するためには、中身の上にハンカチ、風呂敷等を被せて目隠しする場合もあるが、このような作業は煩雑である。
【０００５】
また、商品を購入した場合、その商品が包装紙で包装されることから、その包装紙と紙袋により二重に包装されることになり、省資源の趣旨に反するものであった。
【０００６】
本出願人は上記不具合を解消できる包装用袋について調査したが、関連する先行技術文献は発見できなかった。
【考案の開示】
【考案が解決しようとする課題】
【０００７】
そこで本考案の課題は、内部に収納した物品を容易に被覆することができる包装用袋を提供することにある。
【課題を解決するための手段】
【０００８】
上記課題を解決するために、請求項１記載の本考案に係る包装用袋は、袋本体の開口部を覆って、袋本体内部を遮蔽しうる内蓋が備えられていることを特徴とするものである。
【０００９】
即ち、本考案に係る包装用袋にあっては、上記内蓋により袋本体の開口部を覆うことにより、袋本体内部を外部から視認できないように遮蔽しうるように構成されている。
【００１０】
また、請求項２記載の本考案に係る包装用袋は、上記内蓋が、上記袋本体に接合される固定部と、上記固定部に対し折曲可能に連設されて上記袋本体の上記開口部を開閉可能な可動フラップ部とを有し、上記内蓋における上記可動フラップ部は、使用しない場合は上記袋本体の内面部に重ね合わされた状態を維持すると共に、使用する場合は上記袋本体の内面部を覆うように起き上がりうるように形成されていることすることを特徴とする。
【００１１】
即ち、本考案に係る包装用袋にあっては、上記内蓋は上記固定部により袋本体に接合され、上記可動フラップ部が袋本体の開口部を開閉して袋本体の内部を遮蔽する内蓋本来の役割を果たすことになる。即ち、上記可動フラップ部は、使用しない場合は、上記袋本体の内面部に重ね合わされた状態を維持することにより、上記袋本体の開口部を開口状態にしているが、使用する場合は、上記袋本体の内面部に対し略垂直に起き上がることにより、袋本体の開口部を閉口状態にして袋本体の内部を遮蔽するものである。
【００１２】
また、請求項３記載の本考案に係る包装用袋は、上記袋本体の内面部には持ち手の基端部が接合され、上記内蓋の固定部は、上記持ち手の基端部の接合個所を覆うように上記袋本体の内面部に当接状態に接合されていることを特徴とする。
【００１３】
即ち、本考案に係る包装用袋にあっては、上記袋本体の内面部に接合された持ち手の基端部を覆うように、上記内蓋の固定部が上記袋本体の内面部に当接状態に接合されていることから、上記固定部は上記持ち手の基端部を覆うカバーの役割を果たして、上記持ち手の基端部を補強することになる。
【００１４】
また、請求項４記載の本考案に係る包装用袋は、上記袋本体および上記内蓋は紙により形成され、上記内蓋における上記可動フラップ部は上記袋本体の上記開口部が全開した状態の広さと略同一の大きさを有していることを特徴とする。
【００１５】
即ち、本考案に係る包装用袋にあっては、上記内蓋が上記袋本体と同一素材である紙により形成されることにより、上記内蓋の形成を容易化したり、材料コストを低減することができる。
また、上記袋本体の開口部を全開状態にしても、上記袋本体の内部をほぼ遮蔽できるように、上記可動フラップ部が、上記袋本体の上記開口部が全開した状態の広さと略同一の大きさに形成されている。
【考案の効果】
【００１６】
請求項１記載の本考案に係る包装用袋は、袋本体の開口部を覆って、袋本体内部を遮蔽しうる内蓋が備えられていることから、その内蓋により袋本体の開口部を覆って収納した物品を外方から隠すことができる。従って、収納した物品を他人から覗き見されたり、場合によっては、抜き取られる事態を防ぐことができ、収納物を隠すためにハンカチ等を被せるような煩雑な作業を必要としない。
また、包装用袋に商品を収納して上記内蓋で隠すことにより、商品自体を包装する必要性が無いので、商品自体を包装する包装紙を省くことができ、資源の浪費を回避することができる。
【００１７】
また、請求項２記載の本考案に係る包装用袋は、上記内蓋が、上記袋本体に接合される固定部と、上記固定部に対し折曲可能に連設されて上記袋本体の上記開口部を開閉可能な可動フラップ部とを有することから、上記内蓋は上記固定部により袋本体に接合されることにより、袋本体内へ収納物を収納する際には、上記可動フラップ部を袋本体内側面に沿わせることにより、収納作業の邪魔にならず、また、被覆時には上記可動フラップ部を起こすことにより、容易に収納物を被覆することができる。
即ち、上記内蓋における上記可動フラップ部が、使用しない場合は上記袋本体の内面部に重ね合わされた状態を維持すると共に、使用する場合は上記袋本体の内面部に対し略垂直に起き上がりうるように形成されていることから、上記可動フラップ部を使用しない場合には、上記可動フラップ部を上記袋本体の内面部に重ね合わせた状態にすることにより,袋本体の中身を出し入れする場合に上記可動フラップ部が邪魔になるのを回避することができる。
また、上記可動フラップ部を使用する場合は、上記可動フラップ部を上記袋本体の内面部に対し略垂直に起き上げるだけでよいので、スムースに可動フラップ部により袋本体の開口部を覆って中身を目隠しすることができる。
【００１８】
また、請求項３記載の本考案に係る包装用袋は、上記袋本体の内面部には持ち手の基端部が接合され、上記内蓋の固定部は、上記持ち手の基端部の接合個所を覆うように上記袋本体の内面部に当接状態に接合されていることから、上記袋本体における持ち手の取り付け個所を上記内蓋の上記固定部により補強して剛性を高めることができる。従って、袋本体の耐久性が向上し、再利用も可能になる。
【００１９】
また、請求項４記載の本考案に係る包装用袋は、上記袋本体及び内蓋が紙により形成されることから、収納物の上に容易に被せることができる。
また、袋本体と同様の素材である紙で一体に形成することにより、製造コストの増大を防止することができる。
さらに、上記内蓋における上記可動フラップ部が上記袋本体の上記開口部が全開した状態の広さと略同一の大きさを有していることから、袋本体に収納した中身をほぼ完全に目隠しすることができる。
【考案を実施するための最良の形態】
【００２０】
以下、図面を用いて本考案の実施の形態について説明する。
本実施形態に係る包装用袋１１は、図１及び図２に示すように、袋本体１２の開口部１３を覆って、袋本体１２内部を遮蔽しうる内蓋１４が備えられている。
そして、上記内蓋１４は、図２及び図３に示すように、上記袋本体１２に接合される固定部１５と、上記固定部１５に対し折曲可能に連設されて上記袋本体１２の上記開口部１３を開閉可能な可動フラップ部１６とを有し、上記内蓋１４における上記可動フラップ部１６は、使用しない場合は、図３に示すように、上記袋本体１２の内面部に重ね合わされた状態を維持すると共に、使用する場合は、図１及び図２に示すように、上記袋本体１２の内面部を覆うように起き上がりうるように形成されている。
また、図２及び図３に示すように、上記袋本体１２の内面部には持ち手１７の基端部が接合され、上記内蓋１４の固定部１５は、上記持ち手１７の基端部の接合個所を覆うように上記袋本体１２の内面部に当接状態に接合されている。
また、上記袋本体１２および上記内蓋１４は紙により形成され、上記内蓋１４における上記可動フラップ部１６は、図２に示すように、上記袋本体１２の上記開口部１３が全開した状態の広さと略同一の大きさを有している。
【実施例１】
【００２１】
本実施例に係る包装用袋１１は、デパート等で商品を購入したお客に、商品を収納するために無償で提供されるもので、全体が紙により形成され、袋本体１２は、図１に示すように、前胴部１８、後胴部１９、底部２０、及び内方へ折り込み可能な左右のマチ部２１，２２を有し、上方を開口するように構成されている。
【００２２】
また、上記包装用袋１１には、図１に示すように、持ち手１７が取り付けられている。
即ち、紙により細幅のテープ状に形成された持ち手１７は逆Ｕ字状に屈曲されて、その両端の基端部が、上記袋本体１２における上記前胴部１８及び後胴部１９のそれぞれの内面部における上端近傍に固定されている。
【００２３】
なお、上記持ち手１７の基端部は、図２及び図３に示すように、上記袋本体１２と同様に紙により形成された持ち手押さえ止めシート２３の内面部に固定され、その持ち手押さえ止めシート２３は上記袋本体１２における上記前胴部１８及び後胴部１９の内面部に接着され、上記持ち手１７の基端部は上記袋本体１２における上記前胴部１８及び後胴部１９と上記持ち手押さえ止めシート２３の間に挟着されて固定されている。
【００２４】
そして、上記袋本体１２には、図１及び図２に示すように、上記袋本体１２の開口部１３を覆って、袋本体１２内部を遮蔽しうる内蓋１４が備えられている。
【００２５】
上記内蓋１４は、図２及び図３に示すように、固定部１５と、可動フラップ部１６とを有し、上記袋本体１２と同様に紙により形成されている。
【００２６】
上記内蓋１４における上記可動フラップ部１６は、図２及び図３に示すように、上記固定部１５に対し折曲可能に連設されている。即ち、上記可動フラップ部１６は上記固定部１５と折曲線２４を介して連続的に形成されている。
【００２７】
上記内蓋１４における上記固定部１５は、図２及び図３に示すように、上記袋本体１２の内面部に固定されている。
【００２８】
そして、上記固定部１５は、図２及び図３に示すように、上記持ち手１７の基端部の接合個所を覆うように上記袋本体１２における上記前胴部１８及び後胴部１９の内面部に当接状態に接合されている。
【００２９】
即ち、上記固定部１５は、図２及び図３に示すように、上記持ち手１７の基端部を覆う上記持ち手押さえ止めシート２３の外側に、その持ち手押さえ止めシート２３を覆うように接着されている。
【００３０】
上記内蓋１４における上記可動フラップ部１６は、使用しない場合は、図３に示すように、上記固定部１５に重なり合う状態に折曲していて、上記袋本体１２の内面部に重ね合わされた状態を維持している。
このとき、上記袋本体１２の上記開口部１３は開口し、商品等を収納したり、取り出すことができる。
【００３１】
また、上記可動フラップ部１６を使用する場合は、図１及び図２に示すように、上記可動フラップ部１６は、上記固定部１５に対し略垂直に折曲した状態になるまで起き上がり、上記袋本体１２の底部２０と略平行な姿勢となる。
このとき、上記可動フラップ部１６は上記袋本体１２の上記開口部１３を閉口して、袋本体１２の内部を遮蔽する。
【００３２】
また、上記袋本体１２における上記可動フラップ部１６は、図２に示すように、上記袋本体１２の上記開口部１３が全開した状態の広さと略同一の大きさを有するように形成されている。
【００３３】
デパート等で商品を購入した場合、図２に示すように、上記包装用袋１１にその商品を収納し、上記内蓋１４における上記可動フラップ部１６を上記袋本体１２の内面部に対し略垂直に折曲した状態になるまで起き上げ、上記袋本体１２の上記開口部１３を閉じて、その可動フラップ部１６を商品の上に被せる。
【００３４】
これにより、袋本体１２の内部に収納された商品は上記可動フラップ部１６により隠蔽され、外部から視認不能となる。これにより、袋本体１２に収納した商品を他人に覗き見されたり、抜き取られる危険性が減少する。従って、商品の上に、その商品を目隠しするために、ハンカチや風呂敷等を被せるという煩雑な作業が不要となる。
【００３５】
また、商品は上記可動フラップ部１６により隠蔽されることから、その商品自体を包装紙で包装して二重包装する必要性は少ない。従って、包装紙により商品自体を包装することを省くことができる。これにより、紙資源の浪費を回避することができる。
【００３６】
また、上記可動フラップ部１６を使用しない場合は、図３に示すように、上記可動フラップ部１６を、上記固定部１５と上記袋本体１２の内面部に重なり合った状態にする。これにより、商品等を収納したり、取り出す場合に、上記可動フラップ部１６が邪魔になることはない。
【００３７】
また、上記内蓋１４における上記固定部１５が、図２及び図３に示すように、上記持ち手１７の基端部の接合個所を覆うように上記袋本体１２の内面部に当接状態に接合されることから、上記袋本体１２における上記持ち手１７の取付個所が上記固定部１５により補強されることになる。従って、耐久性が向上し、再利用が容易に可能となる。
【産業上の利用可能性】
【００３８】
本考案は、包装用袋、特にデパート等で商品を購入した場合に、その商品を収納して持ち運ぶために、デパート等から消費者に提供される紙で形成された包装用袋に適用可能である。
【図面の簡単な説明】
【００３９】
【図１】本考案に係る包装用袋の一実施例を示し、内蓋の可動フラップ部により袋本体の開口部を遮蔽した状態を示す斜視図である。
【図２】本考案に係る包装用袋の一実施例を示し、内蓋の可動フラップ部により袋本体の開口部を遮蔽した状態を示す図１のＡ−Ａ線における断面図である。
【図３】本考案に係る包装用袋の一実施例を示し、内蓋の可動フラップ部を袋本体の内面部に重なり合う状態にして袋本体の開口部を開口した状態を示す断面図である。
【符号の説明】
【００４０】
１１  包装用袋
１２  袋本体
１３  開口部
１４  内蓋
１５  固定部
１６  可動フラップ部
１７  持ち手
１８  前胴部
１９  後胴部
２０  底部
２１  マチ部
２２  マチ部
２３  持ち手押さえ止めシート
２４  折曲線
【図１】
0003107411.tif 000003
【図２】
0003107411.tif 000004
【図３】
0003107411.tif 000005